(57)【要約】【課題】本発明の目的は、ブルートゥースモジュールを用いて無線受信された信号に基づいてオーディオ信号を補正するオーディオ機器及び信号補正方法を提供することにある。【解決手段】本発明は、オーディオ機器、オーディオシステム及びオーディオ信号補正方法を提供する。本オーディオ装置は、出力部、送受信部、及び送受信部を介して外部機器から受信された補正用オーディオ信号を用いて出力部を介して再生されるオーディオ信号を補正する制御部を含む。これにより、ブルートゥースモジュールを用いて無線受信された補正用オーディオ信号に基づいて再生されるオーディオ信号を補正することができる。【選択図】図２
2010141892.tif 000002
【特許請求の範囲】
【請求項１】
伝達されるオーディオ信号に対応するサウンドを出力する出力部と、
前記出力部で出力されるサウンドを信号変換して補正用オーディオ信号を生成する外部機器と無線通信が可能となるように接続される送受信部と、
前記送受信部を介して前記外部機器から受信された前記補正用オーディオ信号を用いて、前記出力部を介して再生されるオーディオ信号を補正する制御部と、
を含むことを特徴とするオーディオ機器。
【請求項２】
前記制御部は、前記出力部にテスト用オーディオ信号を伝達し、前記出力部で前記テスト用オーディオ信号に対応するサウンドが出力されるようにし、
前記補正用オーディオ信号は、前記出力部で出力される前記テスト用オーディオ信号に対応するサウンドを信号変換して前記外部機器が生成した信号であることを特徴とする請求項１に記載のオーディオ機器。
【請求項３】
前記外部機器は、前記テスト用オーディオ信号に対応するサウンドを受信するマイクを備えた携帯装置であることを特徴とする請求項１に記載のオーディオ機器。
【請求項４】
前記外部機器は、ノートＰＣ、ＭＰ３（ＭＰＥＧ  Ａｕｄｉｏ  Ｌａｙｅｒ−３）プレイヤー、携帯電話、ＤＭＢ（Ｄｉｇｉｔａｌ  Ｍｕｌｔｉｍｅｄｉａ  Ｂｒｏａｄｃａｓｔｉｎｇ）フォン、デジタルカメラ、及びビデオカメラのうち少なくとも一つを含むことを特徴とする請求項１に記載のオーディオ機器。
【請求項５】
テスト用オーディオ信号を伝達するオーディオ伝達部を更に含み、
前記制御部は、予め設定された時間範囲内で予め設定された周波数帯域の周波数信号に対応するテスト用オーディオ信号が前記出力部に伝達されるように前記オーディオ伝達部を制御することを特徴とする請求項１に記載のオーディオ機器。
【請求項６】
前記制御部は、前記テスト用オーディオ信号が前記時間範囲内で前記テスト用オーディオ信号の重畳なしに連続して前記出力部に伝達されるように前記オーディオ伝達部を制御することを特徴とする請求項５に記載のオーディオ機器。
【請求項７】
前記出力部は、複数のスピーカーを含み、
前記時間範囲は、聴取者にとって前記テスト用オーディオ信号が前記複数のスピーカーで同時に出力されて聴取される範囲に予め設定されることを特徴とする請求項５に記載のオーディオ機器。
【請求項８】
前記制御部は、前記周波数帯域をスイープして前記テスト用オーディオ信号が前記複数のスピーカーのそれぞれに伝達されるように前記オーディオ伝達部を制御することを特徴とする請求項６に記載のオーディオ機器。
【請求項９】
前記周波数帯域は、２００Ｈｚ乃至２０ＫＨｚに予め設定され、
前記制御部は、前記周波数帯域をスイープして前記テスト用オーディオ信号が前記複数のスピーカーのそれぞれに伝達されるように前記オーディオ伝達部を制御することを特徴とする請求項５に記載のオーディオ機器。
【請求項１０】
前記制御部は、前記補正用オーディオ信号を用いて前記出力部を介して再生されるオーディオ信号の補正が完了すると、前記再生されるオーディオ信号の補正が完了したことを示す補正完了メッセージを外部ディスプレイ装置に出力することを特徴とする請求項１に記載のオーディオ機器。
【請求項１１】
前記制御部は、前記補正用オーディオ信号に基づいて前記再生されるオーディオ信号の位相、時間、及び信号レベルのうち少なくとも一つを補正し、補正された再生されるオーディオ信号に対応するサウンドを前記出力部を介して出力することを特徴とする請求項１に記載のオーディオ機器。
【請求項１２】
出力されるサウンドを信号変換して生成された補正用オーディオ信号を無線で受信するステップと、
前記受信ステップで受信された前記補正用オーディオ信号を用いて再生されるオーディオ信号を補正するステップと、
を含むことを特徴とする信号補正方法。
【請求項１３】
テスト用オーディオ信号に対応するサウンドを出力するステップを更に含み、
前記受信ステップは、前記出力ステップで出力されるテスト用オーディオ信号に対応するサウンドを信号変換して生成された補正用オーディオ信号を無線で受信することを特徴とする請求項１２に記載の信号補正方法。
【請求項１４】
前記テスト用オーディオ信号は、予め設定された時間範囲内で予め設定された周波数帯域の周波数信号に対応し、
前記出力ステップは、前記テスト用オーディオ信号に対応するサウンドを出力することを特徴とする請求項１３に記載の信号補正方法。
【請求項１５】
前記出力ステップは、前記時間範囲内で前記テスト用オーディオ信号の重畳なしに連続して前記テスト用オーディオ信号を出力することを特徴とする請求項１４に記載の信号補正方法。
【発明の詳細な説明】
【技術分野】
【０００１】
本発明は、オーディオ機器、オーディオシステム及びオーディオ信号補正方法に関し、より詳細には、無線受信された信号に基づいてオーディオ信号を補正するオーディオ機器、オーディオシステム及びオーディオ信号伝送方法に関する。
【背景技術】
【０００２】
マルチメディア技術が急速に発展することにより、一般の家庭においてもＨＤＴＶやＤＶＤ等、多様なマルチメディアリソースを用いて、大画面のディスプレイ機器から高画質の映像を視聴することが可能となり、スピーカーから雄壮で豊かな音声ソースを持つオーディオを聴取することが可能となった。
ホームシアターシステムはこのような高画質の映像と雄壮なオーディオを提供するためのシステムである。ホームシアターシステムは、一般に、５.１チャネルのサウンド方式が使われる。５.１チャネルのサウンド方式では、既存のステレオや４チャネルのサウンド方式の出力と異なって、音をチャネル毎に採集して録音するため再生するときに音場感があり、低音部分が別途のチャネルで構成されサブウーファーを介して再生されるため臨場感も優秀である。
【０００３】
５.１チャネルのサウンド方式は、ＤＴＳ（Ｄｉｇｉｔａｌ  Ｔｈｅａｔｅｒ  Ｓｙｓｔｅｍ）及びドルビーシステムがサポートされる本体と、レフトフロントスピーカー、センタースピーカー、ライトフロントスピーカー、レフトリアスピーカー、ライトリアスピーカー及びサブウーファーからなる５.１チャネルのスピーカーが基本的な構成要素となる。
雄壮で豊かな音声ソースを持つ５.１チャネルのオーディオを聴取するためには、聴取者を中心にそれぞれのスピーカーが適切な位置に配列されなければならない。
しかし、引越し又は模様替えを理由としてスピーカーの位置が変更される場合、聴取者が聴取しようとする位置に有線マイクを固定させ、各スピーカーから出力されるオーディオ信号を有線マイクを介して受信し、聴取者の位置で最適のサウンドが提供されるようにオーディオ信号を補正する。
これにより、聴取者がオーディオ機器を購買するときに有線マイクも共に購買しなければならなく費用負担が発生する。また、オーディオ信号を補正するために聴取者がオーディオ機器に有線マイクを接続した後、聴取しようとする位置にマイクを固定させ、信号補正のための操作をしなければならない煩わしさが生じる。
【先行技術文献】
【特許文献】
【０００４】
【特許文献１】特開２００４−３４９７６２号公報
【特許文献２】特開２００３−１５８８００号公報
【特許文献３】韓国実用新案第３２７０２７号明細書
【発明の概要】
【発明が解決しようとする課題】
【０００５】
本発明は、上記問題に鑑みてなされたものであり、本発明の目的とするところは、ブルートゥースモジュールを用いて無線受信された信号に基づいてオーディオ信号を補正するオーディオ機器及び信号補正方法を提供することにある。
【課題を解決するための手段】
【０００６】
前記目的を達成するための本発明にかかるオーディオ機器は、伝達されるオーディオ信号に対応するサウンドを出力する出力部と、前記出力部で出力されるサウンドを信号変換して補正用オーディオ信号を生成する外部機器と無線通信が可能となるように接続される送受信部と、前記送受信部を介して前記外部機器から受信された前記補正用オーディオ信号を用いて、前記出力部を介して再生されるオーディオ信号を補正する制御部と、を含む。
好ましくは、前記制御部は、前記出力部にテスト用オーディオ信号を伝達し、前記出力部で前記テスト用オーディオ信号に対応するサウンドが出力されるように制御することができる。ここで、補正用オーディオ信号は、前記出力部で出力される前記テスト用オーディオ信号に対応するサウンドを信号変換して前記外部機器が生成した信号であってもよい。
また、好ましくは、前記外部機器は、前記テスト用オーディオ信号に対応するサウンドを受信するマイクを備えた携帯装置であってもよい。ここで、ノートＰＣ、ＭＰ３（ＭＰＥＧ  Ａｕｄｉｏ  Ｌａｙｅｒ−３）プレイヤー、携帯電話、ＤＭＢ（Ｄｉｇｉｔａｌ  Ｍｕｌｔｉｍｅｄｉａ  Ｂｒｏａｄｃａｓｔｉｎｇ）フォン、デジタルカメラ、及びビデオカメラのうち少なくとも一つを含むことができる。
【０００７】
また、好ましくは、テスト用オーディオ信号を伝達するオーディオ伝達部を更に含むことができる。このとき、前記制御部は、予め設定された時間範囲内で予め設定された周波数帯域の周波数信号に対応するテスト用オーディオ信号が前記出力部に伝達されるように前記オーディオ伝達部を制御することができる。
また、好ましくは、前記制御部は、前記テスト用オーディオ信号が前記時間範囲内で前記テスト用オーディオ信号の重畳なしに連続して前記出力部に伝達されるように前記オーディオ伝達部を制御することができる。
また、好ましくは。前記出力部は、複数のスピーカーを含むことができる。ここで、前記時間範囲は、聴取者にとって前記テスト用オーディオ信号が前記複数のスピーカーで同時に出力され聴取される範囲に予め設定されることができる。
また、好ましくは、前記制御部は、前記周波数帯域をスイープして前記テスト用オーディオ信号が前記複数のスピーカーのそれぞれに伝達されるように前記オーディオ伝達部を制御することができる。
【０００８】
また、好ましくは、前記周波数帯域は２００乃至２０ＫＨｚに予め設定されることができる。このとき、前記制御部は、前記周波数帯域をスイープして前記テスト用オーディオ信号が前記複数のスピーカーのそれぞれに伝達されるように前記オーディオ伝達部を制御することができる。
また、好ましくは、前記制御部は、前記補正用オーディオ信号を用いて前記出力部を介して再生されるオーディオ信号の補正が完了すると、前記再生されるオーディオ信号の補正が完了したことを示す補正完了メッセージを外部ディスプレイ装置に出力することができる。
また、好ましくは、前記制御部は、前記補正用オーディオ信号に基づいて前記再生されるオーディオ信号の位相、時間、及び信号レベルのうち少なくとも一つを補正し、補正された再生されるオーディオ信号に対応するサウンドを前記出力部を介して出力することができる。
【０００９】
一方、本発明にかかる信号補正方法は、出力されるサウンドを信号変換して生成された補正用オーディオ信号を無線で受信するステップと、前記受信ステップで受信された前記補正用オーディオ信号を用いて再生されるオーディオ信号を補正するステップと、を含む。
好ましくは、テスト用オーディオ信号に対応するサウンドを出力するステップを更に含むことができる。このとき、前記受信ステップは、前記出力ステップで出力されるテスト用オーディオ信号に対応するサウンドを信号変換して生成された補正用オーディオ信号を無線で受信することができる。
また、好ましくは、前記テスト用オーディオ信号は、予め設定された時間範囲内で予め設定された周波数帯域の周波数信号に対応することができる。このとき、前記出力ステップは、前記テスト用オーディオ信号に対応するサウンドを出力することができる。
また、好ましくは、前記出力ステップは、前記時間範囲内で前記テスト用オーディオ信号の重畳なしに連続して前記テスト用オーディオ信号を出力することができる。
以上の説明のように、本発明によると、ブルートゥースモジュールを用いて無線受信された補正用オーディオ信号に基づいて再生されるオーディオ信号を補正することができる。
【図面の簡単な説明】
【００１０】
【図１】本発明の一実施形態にかかるオーディオシステムを示す図である。
【図２】本発明の一実施形態にかかる本体部に対する構成を示すブロック図である。
【図３】本発明の一実施形態にかかるオーディオシステムの動作方法を説明するために提供されるフローチャートである。
【図４】携帯用補正装置である。
【図５】オーディオシステムの外部機器の作動を説明するために提供されるフローチャートである。
【図６】オーディオシステムの本体部の作動を説明するために提供されるフローチャートである。
【発明を実施するための形態】
【００１１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
図１は、本発明の一実施形態にかかるオーディオシステム１００を示す図である。
本実施形態にかかるオーディオシステム１００は、放送局又はサービス提供者から受信される放送プログラムと内蔵された記録媒体に保存されているマルチメディアとをユーザが聴取可能となるようにする。放送局又はサービス提供者は有線または無線通信で放送プログラムを提供する。
図示のように、オーディオシステム１００は、本体部１１０及びサウンド出力部１３０を含み、本体部１１０はオーディオシステム１００の全般的な動作を制御する。そして、サウンド出力部１３０は、レフトフロントスピーカー１３１、ライトフロントスピーカー１３３、センタースピーカー１３５、レフトリアスピーカー１３７、ライトリアスピーカー１３８及びサブウーファー１３９を含む。
【００１２】
本体部１１０はサウンド出力部１３０と有線で接続されており、オーディオ信号をサウンド出力部１３０を介して出力する。本体部１１０及びサウンド出力部１３０は、スピーカーから再生されるサウンドに対応する信号を送受信することができる無線通信要素を備えることができる。
具体的には、本体部１１０は、レフトフロントチャネルのオーディオ信号及びライトフロントチャネルのオーディオ信号を有線でレフトフロントスピーカー１３１及びライトフロントスピーカー１３３にそれぞれ伝送する。
同様に、本体部１１０は、センタースピーカーチャネルのオーディオ信号、レフトリアスピーカーチャネルのオーディオ信号、ライトリアチャネルのオーディオ信号、及びサブウーファーチャネルのオーディオ信号を、センタースピーカー１３５、レフトリアスピーカー１３７、ライトリアスピーカー１３８、及びサブウーファー１３８にそれぞれ伝送する。
従って、レフトフロントスピーカー１３１はレフトフロントチャネルのオーディオ信号、ライトフロントスピーカー１３３はライトフロントチャネルのオーディオ信号、センタースピーカー１３５はセンターチャネルのオーディオ信号、レフトリアスピーカー１３７はレフトリアチャネルのオーディオ信号、ライトリアスピーカー１３８はライトリアチャネルのオーディオ信号、サブウーファー１３９はサブウーファーチャネルのオーディオ信号を出力する。
【００１３】
一方、外部機器２００は、本体部１１０の制御によってサウンド出力部１３０を介して出力されるサウンドを受信し、受信されたサウンドを信号変換し、信号変換されたテスト用オーディオ信号に所定の信号処理を行って生成された補正用のオーディオ信号を本体部１１０に無線伝送する。外部機器２００及びオーディオシステム１００間の相互の動作過程は図２を参照して後述することにする。
ここで、外部機器２００はブルートゥースモジュール及びマイクを備えた携帯装置を示す。外部機器２００の一例としては、ノートＰＣ、ＭＰ３（ＭＰＥＧ  Ａｕｄｉｏ  Ｌａｙｅｒ−３）プレイヤー、携帯電話、ＤＭＢ（Ｄｉｇｉｔａｌ  Ｍｕｌｔｉｍｅｄｉａ  Ｂｒｏａｄｃａｓｔｉｎｇ）フォン、デジタルカメラ、及びビデオカメラを挙げることができる。ここで、ブルートゥースモジュール及びマイクは着脱可能であり、外部機器２００はマイク以外に着脱可能なイヤジャックを備えることができる。本体部は外部装置２００のブルートゥースモジュールに該当する通信部を備えることができる。
【００１４】
図２は、本発明の一実施形態にかかる本体部１１０に対する構成を示すブロック図である。図２においては、説明の便宜のため、サウンド出力部１３０及び外部機器２００を共に示している。
本実施形態にかかる本体部１１０は、内蔵されたＤＶＤ（Ｄｉｇｉｔａｌ  Ｖｅｒｓａｔｉｌｅ  Ｄｉｓｃ）に保存されたオーディオ信号に対応するサウンドが各スピーカーを介して出力されるようにし、再生されるオーディオ信号の補正に用いられる補正用オーディオ信号を外部機器２００とブルートゥース通信することにより受信する。補正用オーディオ信号は、記録媒体、伝送媒体、放送局、またはサービス提供者から受信し、再生されているオーディオ信号を補正するために使用される。
【００１５】
本発明の記録媒体はコンピュータで読み取り可能な媒体で実現することができる。コンピュータで読み取り可能な媒体には、コンピュータで読み取り可能な記録媒体とコンピュータで読み取り可能な伝送媒体とを含むことができる。コンピュータで読み取り可能な記録媒体は、コンピュータシステムによって読み取り可能なプログラムとしてデータを保存することができるデータ保存装置である。コンピュータで読み取り可能な記録媒体の例としては、ＲＯＭ、ＲＡＭ、ＣＤ−ＲＯＭ、磁気テープ、フロッピー（登録商標）ディスク及び光データ保存装置がある。また、コンピュータで読み取り可能な記録媒体は、コンピュータで読み取り可能なコードを保存し分散方式で実行するために、コンピュータに接続されたネットワークに分散させることができる。コンピュータで読み取り可能な伝送媒体は、搬送波及び信号を伝送することができる（たとえば、インターネットを介した有無線データ通信）。また、本発明を実現するための機能性プログラム、コード、コードセグメントは、本発明が属する技術分野の当業者により容易に変更することができる。たとえば、コンピュータで読み取り可能な伝送媒体としては無線送受信部を有するモジュールであってもよい。
【００１６】
このような本体部１１０は、ＤＶＤローダー部１１１、オーディオ処理部１１３、オーディオ伝達部１１５、制御部１１７及びブルートゥースモジュールとして無線通信モジュール１１９を備える。
ＤＶＤローダー部１１１は、ＤＶＤのような記録媒体からＭＰＥＧ−２方式などによって圧縮されたオーディオ信号をリードする。
ＤＶＤローダー部１１１は、リードされた圧縮オーディオ信号をオーディオ処理部１１３に伝送する。
【００１７】
オーディオ処理部１１３は、ＤＶＤローダー部１１１から伝達される圧縮オーディオ信号とブルートゥースモジュール１１９から伝達される圧縮オーディオ信号とに対する信号処理を行う。そして、オーディオ処理部１１３は圧縮解除された５.１チャネルのオーディオ信号を出力することになる。ここで、ＤＶＤローダー部１１１でリードされる圧縮オーディオ信号はオーディオ出力部１３０を介して再生されるオーディオ信号であり、ブルートゥースモジュール１１９から伝達される圧縮オーディオ信号は補正用オーディオ信号である。
具体的には、オーディオ処理部１１３は、ＤＶＤローダー部１１１から伝達されＭＰＥＧ−２フォーマットで圧縮された再生されるオーディオ信号をデコーディングする。オーディオ処理部１１３は、制御部１１７の制御によってブルートゥースモジュール１１９から伝達され圧縮された補正用オーディオ信号をデコーディングする。このとき、オーディオ処理部１１３は、ＳＢＣ（Ｓｍａｒｔ  Ｂｉｔｒａｔｅ  Ｃｏｎｔｒｏｌ）コーデックを用いてブルートゥースモジュール１１９から伝達される補正用オーディオ信号をデコーディングする。
【００１８】
オーディオ伝達部１１５は、オーディオ処理部１１３から受信された圧縮解除された再生されるオーディオ信号及び制御部１１７から受信された補正用オーディオ信号をサウンド出力部１３０を介して出力可能なフォーマットのオーディオ信号に変換する。
具体的には、オーディオ伝達部１１５は、内蔵されたＰＷＭ（Ｐｕｌｓｅ  Ｗｉｄｔｈ  Ｍｏｄｕｌａｔｉｏｎ）ＩＣを用いてオーディオ処理部１１３で分離されたオーディオ信号をＰＷＭ信号に変換し、変換されたＰＷＭ信号をスイッチングしてレフトフロントチャネルのオーディオ信号、センターチャネルのオーディオ信号、ライトフロントチャネルのオーディオ信号、レフトリアチャネルのオーディオ信号、ライトリアチャネルのオーディオ信号、及びサブウーファーチャネルのオーディオ信号をそれぞれ抽出する。そして、オーディオ伝達部１１５はそれぞれ抽出されたオーディオ信号をスピーカー１３１〜１３９の各々に有線伝達する。本体部１１０は本体部１１０とそれぞれのスピーカーを有線で接続するための端子（Ｔ１〜Ｔ６）を有する。
具体的には、オーディオ伝達部１１５は、レフトフロントチャネルのオーディオ信号をレフトフロントスピーカー１３１に伝達し、センターチャネルのオーディオ信号をセンタースピーカー１３５に伝達し、ライトフロントチャネルのオーディオ信号をライトフロントスピーカー１３３に伝達し、レフトリアチャネルのオーディオ信号をレフトリアスピーカー１３７に伝達し、ライトリアチャネルのオーディオ信号をライトリアスピーカー１３８に伝達し、かつサブウーファーチャネルのオーディオ信号をサブウーファー１３９に伝達する。
【００１９】
サウンド出力部１３０はオーディオ伝達部１１５から伝達されたそれぞれのオーディオ信号をサウンドに変換して出力する。
具体的には、サウンド出力部１３０は、レフトフロントチャネルのオーディオ信号をサウンドに変換してレフトフロントスピーカー１３１を介して出力し、センターチャネルのオーディオ信号をサウンドに変換してセンタースピーカー１３５を介して出力し、ライトフロントチャネルのオーディオ信号をサウンドに変換してライトフロントスピーカー１３３を介して出力し、レフトリアチャネルのオーディオ信号をサウンドに変換してレフトリアスピーカー１３７を介して出力し、ライトリアチャネルのオーディオ信号をサウンドに変換してライトリアスピーカー１３８を介して出力し、かつサブウーファーチャネルのオーディオ信号をサウンドに変換してサブウーファー１３９を介して出力する。
【００２０】
制御部１１７は、オーディオ処理部１１３で信号処理されて再生されるオーディオ信号とテスト用オーディオ信号とがサウンド出力部１３０に伝達されるようにオーディオ伝達部１１５を制御する。ここで、テスト用オーディオ信号は、サウンド出力部１３０から出力される再生されるオーディオ信号の補正のために予め設定される。
そして、制御部１１７は、信号補正命令が受信されると、テスト用オーディオ信号がサウンド出力部１３０に伝達されるようにオーディオ伝達部１１５を制御する。ここで、信号補正命令は本体部１１０に備えられた操作部（図示せず）または外部機器２００に設けられた操作部２０３のユーザ操作を通して受信される。たとえば、操作部は、ボタン、ノブ、スイッチ、タッチスクリーンまたは音声起動命令を含むことができる。
具体的には、制御部１１７は、信号補正命令（Ａｕｔｏ  Ｓｏｕｎｄ  Ｃａｌｉｂｒａｔｉｏｎ  Ｃｏｍｍａｎｄ）が受信されると、予め設定された周波数帯域を周波数スイープすることにより、６個のスピーカー１３１〜１３９のそれぞれに予め設定された周波数に対応するテスト用オーディオ信号が伝達されるようにオーディオ伝達部１１５を制御する。サウンド出力部１３０は、オーディオ伝達部１１５から伝達された６個チャネルのテスト用オーディオ信号をサウンドに変換して出力する。すなわち、６個チャネルのテスト用オーディオ信号のそれぞれは６個のスピーカー１３１〜１３９のそれぞれを介して出力される。
【００２１】
ここで、６個のスピーカーのそれぞれに対応するテスト用オーディオ信号の周波数は互い重畳されず、予め設定された周波数帯域内で予め設定された時間間隔で６個のスピーカー１３１〜１３９のそれぞれに伝達されて出力されるように予め設定される。
ここで、周波数帯域は２００Ｈｚ乃至２０ＫＨｚに予め設定され、６個のスピーカー１３１〜１３９でテスト用オーディオ信号に対応するサウンドが出力される時間間隔は１０乃至２０ｍｓｅｃに予め設定される。このとき、６個のスピーカー１３１〜１３９からテスト用オーディオ信号に対応するサウンドが出力される時間間隔は、ユーザが６個のスピーカーから同時にサウンドが出力されると認知する範囲で予め設定される。
【００２２】
また、制御部１１７は、外部機器２００から接続要請メッセージが受信されると、ブルートゥースモジュール１１９を介して外部機器２００との無線通信接続を設定する。すなわち、制御部１１７は、外部機器２００から接続要請メッセージが受信されると、接続要請メッセージに対応する確認メッセージ（ＡＣＫ）を外部機器２００に伝送するようにブルートゥースモジュール１１９を制御することにより外部機器２００とのブルートゥース通信接続を設定する。
制御部１１７は、ブルートゥースモジュール１１９を介して受信された圧縮された補正用オーディオ信号をオーディオ処理部１１３に伝達し、オーディオ処理部１１３から圧縮解除された補正用オーディオ信号を受信して周波数フィルタリングすることにより６個チャネルの補正用オーディオ信号を分離する。
補正用オーディオ信号は、それぞれのチャネルのオーディオ信号に対応する多数の補正用オーディオ信号を含み、それぞれのチャネルに対応するコンポーネントに分離されることができる。
【００２３】
制御部１１７は、分離された補正用オーディオ信号とオーディオ伝達部１１５から出力された６個のテスト用オーディオ信号との間の時間、位相及び周波数レベルを比較し、補正用オーディオ信号とテスト用オーディオ信号との間の時間、位相及び周波数レベルのギャップを信号補正値として保存部１１８に保存する。このとき、周波数レベルは音量を示し、保存部１１８には６個チャネルのそれぞれに対応する第１乃至第６の信号補正値が保存される。
そして、制御部１１７は、保存部１１８に保存された第１乃至第６の信号補正値を参照してＤＶＤローダー部１１１がリードされた再生されるオーディオ信号を信号補正し、補正された再生されるオーディオ信号に対応するサウンドがサウンド出力部１３０を介して出力されるようにサウンド出力部１３０及びオーディオ伝達部１１５を制御する。たとえば、記録媒体から出力されたオーディオ信号は、信号補正値に従ってオーディオ信号間の時間、位相及び周波数レベルが変化されたり調節されたりする。また、それぞれのチャネルのオーディオ信号は対応する信号補正値に従って変化されたり調節されたりする。再生されるオーディオ信号の補正に対する具体的な内容は図３を参照して後述する。
【００２４】
制御部１１７は、信号補正値を保存して信号補正が完了すると、補正完了メッセージ及び信号補正値を外部ディスプレイ装置（図示せず）に表示する。このとき、制御部１１７は補正完了メッセージ及び信号補正値をブルートゥース通信を介して外部機器２００に設けられたディスプレイ部に表示することができる。
そして、制御部１１７は、外部機器２００から接続解除メッセージが受信されると、外部機器２００との通信接続を終了する。ここで、接続解除メッセージはユーザが外部機器２００に設けられた操作部（図示せず）を操作することにより制御部１１７に伝送される。
このとき、制御部１１７は信号補正が完了すると、補正完了メッセージ及び信号補正値を外部ディスプレイ装置（図示せず）または外部機器２００にディスプレイし、ユーザの操作なしに予め設定された時間以後に外部機器２００との通信接続を自動で解除することができる。
【００２５】
外部機器２００はブルートゥースモジュールのような送受信部として統合無線モジュール２０１を含むことができ、外部無線モジュールと接続されることができる。外部機器２００は、可聴音を受信するマイク２０２と、補正データを含んだデータを表示するディスプレイ部２０３と、ボタン、キー、スイッチのような操作部２０４と、音声、映像、データ入力及び装置の様々な機能を行う機能ユニット２０８とを更に含む。たとえば、外部機器２００がノートＰＣである場合、機能ユニット２０８は、ノートＰＣに対するインターフェース、データ入力、及びディスプレイ機能を制御する。たとえば、補正データはディスプレイ部に補正状態、音声レベル、マイク入力レベル、又は信号レベルのような情報やユーザに応答を要求するプロンプト（ｐｒｏｍｐｔｓ）を含んで表示されることができる。
【００２６】
外部機器２００は、さらに、無線モジュール２０１を制御するための制御部２０５、マイク２０２、ディスプレイ部２０３、操作部２０４、機能ユニット２０８を含むことができる。また、制御部２０５は、信号処理部２０７を含むか、マイク２０２から信号を処理して無線モジュール２０１を介して信号を出力する信号処理部２０７と接続されることができる。たとえば、処理部は無線モジュール２０１に送信するための圧縮された補正用信号を生成するためのマイクから受信された補正用オーディオ信号を圧縮することができる。また、外部機器２００は、電源端子、イヤジャック、補助の入出力端子、又は他の端子を含む外部端子２０６を含むことができる。さらに外部機器２００は、前記外部機器２００の構成から受信されたデータを保存することができるメモリ２０９を含むことができる。
【００２７】
図３は、本発明の一実施形態にかかるオーディオシステム１００の動作方法を説明するために提供されるフローチャートである。
まず、外部機器２００は外部機器の周辺に位置したブルートゥース機器を探知する（Ｓ３１０）。
具体的には、外部機器２００に設けられた操作部のユーザ操作によりブルートゥース機器探知が選択されると、外部機器２００は予め設定された範囲内に存在するブルートゥース機器を探知して外部機器２００に設けられたディスプレイ部（図示せず）に表示する。
【００２８】
次いで、外部機器２００はディスプレイ部に表示されるブルートゥース機器のうちユーザによって選択されたオーディオシステム１００とのブルートゥース通信接続を設定する（Ｓ３２０）。
具体的には、外部機器２００からの通信接続を要請する接続要請メッセージを本体部１１０に伝送し、本体部１１０から接続要請メッセージに対応する確認メッセージ（ＡＣＫ）を受信することにより、外部機器２００とオーディオシステム１００間のブルートゥース通信接続が設定される。
【００２９】
そして、信号補正命令が受信されると、制御部１１７は、予め設定された周波数帯域を予め設定された時間間隔で周波数スイープすることにより６個のスピーカー１３１〜１３９のそれぞれにテスト用信号を伝達する（Ｓ３３０）。
ここで、周波数帯域は２００Ｈｚ乃至２０ＫＨｚに予め設定され、６個のスピーカー１３１〜１３９でテスト用オーディオ信号が出力される時間間隔は１０乃至２０ｍｓｅｃに予め設定される。そして、信号補正命令は本体部１１０に備えられた操作部（図示せず）または外部機器２００に設けられた操作部（図示せず）のユーザ操作を介して受信される。
具体的には、本体部１１０に備えられた操作部（図示せず）または外部機器２００に設けられた操作部（図示せず）のユーザ操作を介して信号補正命令が受信されると、制御部１１７は予め設定された周波数帯域の全体をスイープしながら６個のスピーカー１３１〜１３９のそれぞれに予め設定された周波数に対応するテスト用信号が伝達されるようにオーディオ伝達部１１５を制御する（Ｓ３４０）。
【００３０】
そして、サウンド出力部１３０は、オーディオ伝達部１１５から伝達されたテスト用オーディオ信号に対応するサウンドを出力する（Ｓ３５０）。すなわち、オーディオ伝達部１１５から伝達された６個チャネルに対するテスト用オーディオ信号に対応するサウンドが６個のスピーカー１３１〜１３９のそれぞれから出力される。
このとき、制御部１１７は、ユーザがテスト用オーディオ信号に対応するサウンドが６個のスピーカーのそれぞれから同時に出力されているように認知するようオーディオ伝達部１１５及びサウンド出力部１３０を制御する。
【００３１】
次いで、外部機器２００は複数のスピーカー１３１〜１３９から出力されるテスト用オーディオ信号に対応するサウンドを受信する（Ｓ３６０）。
そして、外部機器２００は受信されたテスト用オーディオ信号に対応するサウンドを信号変換して補正用オーディオ信号を生成し（Ｓ３７０）、外部機器２００は信号変換された補正用オーディオ信号をエンコーディングする。ここで、信号変換は音声を示すサウンドを電気的信号に変換することを示す。
具体的には、外部機器２００に設けられたマイク（図示せず）を介して複数のスピーカー１３１〜１３９から出力されるテスト用オーディオ信号に対応するサウンドが受信され、外部機器２００は受信されたテスト用オーディオ信号に対応するサウンドを信号変換して補正用オーディオ信号を生成する。そして、外部機器２００は信号変換された補正用オーディオ信号をＳＢＣ（Ｓｍａｒｔ  Ｂｉｔｒａｔｅ  Ｃｏｎｔｒｏｌ）コーデックを用いてエンコーディングする。
【００３２】
次いで、外部機器２００はＳＢＣエンコーディングを介して圧縮された補正用オーディオ信号をブルートゥース通信でオーディオシステム１００に伝送する（Ｓ３７５）。
そして、オーディオシステム１００は補正用オーディオ信号を外部機器２００から受信してデコーディングする（Ｓ３８０）。
具体的には、オーディオ処理部１１３は、ブルートゥースモジュール１１９を介して外部機器２００から受信された圧縮された補正用オーディオ信号をＳＢＣコーデックを用いて圧縮解除し、圧縮解除された補正用オーディオ信号を制御部１１７に伝達する。
このとき、制御部１１７は圧縮解除された補正用オーディオ信号とＳ３４０ステップにおいて伝達されたテスト用オーディオ信号との間の時間、位相、及び周波数レベルをそれぞれ比較して、遅延時間、位相差、及び周波数レベル差のそれぞれに対する信号補正値を計算して保存する。
【００３３】
次いで、オーディオシステム１００は記録媒体や伝送媒体から受信して再生されるオーディオ信号を出力する際、保存された信号補正値を参照して再生されるオーディオ信号を補正する（Ｓ３９０）。
具体的には、制御部１１７は、ＤＶＤローダー部１１１でリードされ、オーディオ処理部１１３で圧縮解除された再生されるオーディオ信号を保存部１１８に保存された信号補正値に基づいて補正し６個のスピーカー１３１〜１３９のそれぞれに伝達されるようにオーディオ伝達部１１５を制御する。これにより、補正された再生されるオーディオ信号のそれぞれに対応するサウンドが６個のスピーカー１３１〜１３９のそれぞれから出力される。
【００３４】
ここで、信号補正値は６個のスピーカー毎にそれぞれ保存される。すなわち、センタースピーカー１３５の信号補正値のうち周波数レベルが２０Ｈｚ増幅で保存された場合を例に挙げると、制御部１１７は、ＤＶＤローダー部１１１でリードされ、オーディオ処理部１１３で圧縮解除された再生されるオーディオ信号を２０Ｈｚ増幅し、増幅された再生されるオーディオ信号に対応するサウンドがセンタースピーカー１３５に出力されるようにオーディオ伝達部１１５及びサウンド出力部１３０を制御する。
同様に、制御部１１７は、６個のスピーカー１３１〜１３９のそれぞれに対応する時間に対する信号補正値に基づいて、ＤＶＤローダー部１１１でリードされ、オーディオ処理部１１３で圧縮解除された再生されるオーディオ信号の時間を補正し、再生されるオーディオ信号の位相を補正して６個のスピーカー１３１〜１３９のそれぞれに伝達されるようにオーディオ伝達部１１５を制御する。
【００３５】
そして、オーディオシステム１００は外部機器２００とのブルートゥース通信を終了する（Ｓ３９５）。
具体的には、制御部１１７は計算された６個のスピーカー１３１〜１３９のそれぞれに対応する信号補正値を外部ディスプレイ装置（図示せず）に出力する。外部機器２００から接続解除メッセージが受信されると、制御部１１７は接続解除メッセージに対応する確認メッセージ（ＡＣＫ）を外部機器２００に伝送し、外部機器２００とのブルートゥース通信を終了する。ここで、接続解除メッセージは外部機器（図示せず）に設けられた操作部のユーザ操作を介して制御部１１７に受信される。
このとき、制御部１１７は６個のスピーカー１３１〜１３９のそれぞれに対応する信号補正値を外部ディスプレイ装置（図示せず）または外部機器２００にディスプレイした後、予め設定された時間が経過すると外部機器２００との通信接続を終了することができる。すなわち、制御部１１７は、ユーザの操作なしに外部機器２００とのブルートゥース通信を終了することができる。
【００３６】
図５は、外部機器２００の補正方法について示している。補正は自動で開始されたり、外部機器２００または本体部１１０にユーザが開始命令を入力した結果で開始されたりすることができる（Ｓ５００）。外部機器２００はブルートゥース作動が可能な無線装置をサーチすることができる（Ｓ５０２）。ブルートゥース作動が可能な装置をサーチすると（Ｓ５０４）、外部機器２００は本体部１１０に接続要請を伝送する（Ｓ５０６）。外部機器２００は確認応答を受信することを待機することができる（Ｓ５０８）。そしてから、オーディオ出力装置１３０からテストオーディオサウンドを受信することを待機することができる（Ｓ５１０）。外部機器２００は本体部１１０において補正するための補正用オーディオ信号を生成することができ（Ｓ５１２）、本体部１１０に補正用オーディオ信号を伝送することができる（Ｓ５１４）。たとえば、補正用オーディオ信号は圧縮されたオーディオ信号であってもよい。外部機器２００は終了メッセージを伝送することができ（Ｓ５１６）、本体部から確認応答を受信すると補正過程を終了することができる（Ｓ５１８、Ｓ５２０）。
【００３７】
外部機器２００はオーディオシステム１００を適切に補正するために上記のような過程を反復的に行うことができる。たとえば、本体部１１０が一定期間終了メッセージを受信できなかったり終了メッセージを拒否したりすれば、図５に示されているように、外部機器２００は追加的なテストオーディオサウンドを受信することを待機することができる。また、外部機器２００は、本体部１１０が「補正完了」という信号を受信するまで自動的にテストオーディオサウンドを待機する過程と補正用オーディオ信号を送る過程を反復的に行うことができる。
【００３８】
図６は、本体部１１０における補正方法を示している。処理過程が開始され（Ｓ６００）、外部機器２００から伝送要請を受信すると（Ｓ６０２）、本体部１１０は確認応答を伝送することができる（Ｓ６０３）。本体部１１０は記録媒体や伝送媒体からオーディオ信号を受信し（Ｓ６０４）、オーディオ出力装置にテストオーディオ信号を伝送する（Ｓ６０６）。本体部１１０は、ブルートゥースモジュール１１９や他の無線モジュールから補正用オーディオ信号を受信することを待機することができる。本体部１１０は補正用オーディオ信号をデコーディングすることができ（Ｓ６１０）、補正されたオーディオ信号を出力することができる（Ｓ６１２）。外部機器２００から終了メッセージを受信すると（Ｓ６１４）、本体部１１０は確認応答を伝送することができ（Ｓ６１６）、外部機器との無線通信を終了し（Ｓ６１８）、補正過程を終了することができる（Ｓ６２０）。
【００３９】
図４は、図２における外部機器２００に対応する外部機器又は装置の一例を示している。外部機器は、可聴音を受信することができるマイクと、本体部１１０に電気的信号を伝送することができる無線送受信部４０３とを備えたハンド機器やノートＰＣのような携帯用装置であってもよい。図４に示すように、送受信部４０３は、外部機器４００に含まれてもよく、外部機器４００に接続されてもよい。たとえば、送受信部４０３はブルートゥースモジュールであってもよい。送受信部４０３は、また、本体部１１０から電気的信号を受信することができる。マイク４０１から受信した可聴音はデジタル信号処理部４０２によって補正用オーディオ信号に変換することができる。そしてから、デジタル信号処理部４０２は送受信部４０３に補正用オーディオ信号を伝送することができる。デジタル信号処理部４０２は、伝送する前に圧縮を介して補正用オーディオ信号をエンコーディングすることができる。
【００４０】
外部機器４００は、接続、補正、終了データを表示するためにディスプレイ部４０４を有する。ディスプレイ部４０４に表示される補正データは、補正状態、音声レベル、マイク入力レベル、又は信号レベルのような情報やユーザに応答を要求するプロンプトを含んで表示されることができる。たとえば、ユーザはブルートゥース作動が可能な装置のような無線装置を検索したり本体部１１０に接続したりするために操作部４０５を使用することができる。本体部１１０はユーザに補正開始の操作を要求するデータを外部機器４００に送信することができ、本体部１１０は補正過程を示すデータを外部機器に送信することができる。補正が終わったとき、本体部１１０は補正が成功したか否か、補正を手動又は自動で終了するか否か、エラーが発生したか否かに対するデータを外部機器４００に送信することができる。外部機器４００は、また、音声、イメージ、映像、データ入力又は装置の他の機能を制御することができる機能ユニット４０６を含むことができる。たとえば、外部装置がノートＰＣである場合、機能ユニット４０６は、ノートＰＣに対するインターフェース、データ入力、及びディスプレイ機能を制御することができる。
【００４１】
外部機器４００は、更に、送受信部４０３、マイク４０１、デジタル信号処理部４０２、ディスプレイ部４０４、操作部４０５、機能ユニット４０６を制御することができる制御部４０７を含むことができる。外部機器４００は、電源端子、イヤジャック、補助の入出力端子、又は他の端子を含む外部端子４０９を含むことができる。また、外部機器４００は、前記外部機器４００の構成から受信されたデータを保存することができるメモリ４０８を含むことができる。
本体部１１０は送受信部４０３を介して外部機器４００にデータを伝送することができる。たとえば、本体部１１０は、補正の接続、開始、テスト、終了を含むオーディオ補正過程に対する情報を表示することができるデータを伝送することができる。操作部４０５は、補正の開始、終了、補正オプションの選択又は本体部１１０の要請に対する応答のために外部機器に位置することができる。
【００４２】
一方、本発明にかかるオーディオシステムでは、ＭＰＥＧ−２に圧縮されたオーディオファイルをリードしてスピーカーに出力するものと限定して説明したが、必ずこれに限定されるものではなく、圧縮なしにサンプリングされたＡＩＦＦ、ＷＡＶフォーマットのオーディオファイル、ＭＤＩ（Ｍｕｓｉｃａｌ  Ｉｎｓｔｒｕｍｅｎｔ  Ｄｉｇｉｔａｌ  Ｉｎｔｅｒｆａｃｅ）オーディオファイル、及びＭＰＥＧ−１に圧縮されたオーディオファイルをスピーカーに出力することができる。
なお、以上では、レフトフロントスピーカー１３１乃至サブウーファー１３９は、本体部１１０と別に設けられるものと示したが、これは説明の便宜のための一実施例に過ぎず、その内の一部又は全部が本端部１１０の内部に設けられるものとして実現することも可能であることはいうまでもない。
なお、以上では、５.１チャネルのオーディオ信号をスピーカーから出力されるように制御するオーディオシステム１００について説明したが、これは説明の便宜のための一実施例に過ぎず、６.１チャネルや７.１チャネルのオーディオ信号をスピーカーを介して出力できることはいうまでもない。
【００４３】
なお、以上では、オーディオ信号をスピーカーに有線で伝送するオーディオシステムについて説明したが、これは説明の便宜のための一実施例に過ぎず、オーディオ信号をスピーカーのすべてに無線伝送できるだけではなく、スピーカーの一部には無線で残りの一部には有線で伝送することができる。
なお、以上では、オーディオシステムと外部機器との間のオーディオ信号の送受信のためのインターフェースを提供する送受信部をブルートゥースモジュールに限定して説明したが、これは説明の便宜のための一実施例に過ぎず、送受信部としては無線通信を提供するモジュールであってもよいことはいうまでもない。
なお、以上では、各スピーカーから各スピーカーに対応するオーディオ信号が出力されるものと想定したが、これは説明の便宜のための実施例にすぎず、６個のスピーカー１３１〜１３９のそれぞれからセンターチャネル、レフトフロントチャネル、ライトフロントチャネル、レフトリアチャネル及びライトリアチャネルのオーディオ信号のうち少なくとも一つが同時に出力されるように実現可能である。
【００４４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００４５】
１００  オーディオシステム
１１０  本体部
１１１  ＤＶＤローダー部
１１３  オーディオ処理部
１１５  オーディオ伝達部
１１７  制御部
１１８  保存部
１１９  ブルートゥースモジュール（無線通信モジュール）
１３０  サウンド出力部
１３１  レフトフロントスピーカー
１３３  ライトフロントスピーカー
１３５  センタースピーカー
１３７  レフトリアスピーカー
１３８  ライトリアスピーカー
１３９  サブウーファー
２００  外部機器
２０１  無線モジュール
２０２  マイク
２０３  ディスプレイ部
２０４  操作部
２０５  制御部
２０６  外部端子
２０７  信号処理部
２０８  機能ユニット
２０９  メモリ
４００  外部機器
４０１  マイク
４０２  デジタル信号処理部
４０３  送受信部
４０４  ディスプレイ部
４０５  操作部
４０６  機能ユニット
４０７  制御部
４０８  保存部
４０９  外部端子
【図１】
2010141892.tif 000003
【図２】
2010141892.tif 000004
【図３】
2010141892.tif 000005
【図４】
2010141892.tif 000006
【図５】
2010141892.tif 000007
【図６】
2010141892.tif 000008